【手続補正書】
【提出日】令和3年3月10日(2021.3.10)
【手続補正１】
【補正対象書類名】特許請求の範囲
【補正対象項目名】全文
【補正方法】変更
【補正の内容】
【特許請求の範囲】
【請求項１】
第１の無線アクセス技術（ＲＡＴ）と第２のＲＡＴとのためのアップリンク共有のために構成されたユーザ機器（ＵＥ）によって実施されるワイヤレス通信の方法であって、
前記第１のＲＡＴまたは前記第２のＲＡＴのうちの特定のＲＡＴに関連付けられた通信のためのスケジューリング情報を受信することと、
ここにおいて、前記特定のＲＡＴが前記第１のＲＡＴであるとき、
前記スケジューリング情報は、リソースの第１のセットのうちの第１の特定のリソースを識別し、前記第１の特定のリソースは、半静的手法および４ｍｓ＋６ｍｓハイブリッド自動再送要求（ＨＡＲＱ）タイムラインに少なくとも部分的に基づいて選択され、
前記特定のＲＡＴが前記第２のＲＡＴであるとき、
前記スケジューリング情報は、リソースの第２のセットのうちの第２の特定のリソースを識別し、前記第２の特定のリソースは、動的手法を使用して選択され、
リソースの前記第１のセットのうちの１つまたは複数のリソースは、基準第１時分割複信（ＴＤＤ）構成に少なくとも部分的に基づいて前記第１のＲＡＴのために保証され、リソースの前記第１のセットのうちの前記１つまたは複数のリソースと、リソースの前記第２のセットとが時間領域において重複しない、
前記第１の特定のリソースまたは前記第２の特定のリソースを使用して前記通信を送信することと、
を備える、方法。
【請求項２】
リソースの前記第１のセットは、リソースの前記第１のセットのうちの前記１つまたは複数のリソースと、１つまたは複数の追加のリソースとを含む、請求項１に記載の方法。
【請求項３】
前記第１のＲＡＴは周波数分割複信構成に関連付けられ、前記第１の特定のリソースが前記基準第１ＴＤＤ構成に少なくとも部分的に基づく、請求項１に記載の方法。
【請求項４】
前記通信は、ダウンリンクＨＡＲＱ通信のためのフィードバックに関連付けられ、前記第１の特定のリソースは前記基準第１ＴＤＤ構成に少なくとも部分的に基づく、請求項１に記載の方法。
【請求項５】
任意のサブフレームにおいて前記ダウンリンクＨＡＲＱ通信のダウンリンクデータを受信すること、
をさらに備える、請求項４に記載の方法。
【請求項６】
前記第１のＲＡＴはＴＤＤダウンリンク／アップリンク構成に関連付けられ、前記通信は、ダウンリンクＨＡＲＱ通信のためのフィードバックに関連付けられ、前記第１の特定のリソースは前記基準第１ＴＤＤ構成に少なくとも部分的に基づく、請求項１に記載の方法。
【請求項７】
前記第１のＲＡＴはＴＤＤダウンリンク／アップリンク構成に関連付けられ、前記通信は、ダウンリンクＨＡＲＱ通信のためのフィードバックに関連付けられ、前記方法は、
前記ＴＤＤダウンリンク／アップリンク構成によって識別されるリソース中で前記ダウンリンクＨＡＲＱ通信のためのダウンリンクデータを受信すること、
をさらに備える、請求項１に記載の方法。
【請求項８】
前記第１の特定のリソースはアップリンクＨＡＲＱペイロードのためのものであり、前記第１の特定のリソースは、前記第１のＲＡＴのための周波数分割複信タイムラインに少なくとも部分的に基づいて選択される、請求項１に記載の方法。
【請求項９】
前記第１の特定のリソースはアップリンクＨＡＲＱペイロードのためのものであり、前記第１の特定のリソースは、前記第１のＲＡＴのＴＤＤダウンリンク／アップリンク構成に少なくとも部分的に基づいて選択される、請求項１に記載の方法。
【請求項１０】
リソースの前記第２のセットのうちの１つまたは複数のリソースは、前記ＵＥの基準第２ＴＤＤ構成に少なくとも部分的に基づいて前記第２のＲＡＴのために保証される、請求項１に記載の方法。
【請求項１１】
前記１つまたは複数のリソースは、時分割多重化（ＴＤＭ）リソースを含む、請求項１に記載の方法。
【請求項１２】
リソースの前記第１のセットおよびリソースの前記第２のセットは合計で、リソースの前記第１のセットのうちの前記１つまたは複数のリソース、およびリソースの前記第２のセットのうちの前記１つまたは複数のリソース中に合計で含まれるものよりも多くのリソースを含む、請求項１０に記載の方法。
【請求項１３】
前記通信はＨＡＲＱ通信に関連付けられ、
前記第２の特定のリソースは、動的ＨＡＲＱタイムラインに少なくとも部分的に基づいて選択される、
請求項１に記載の方法。
【請求項１４】
リソースの前記第１のセットのうちの前記１つまたは複数のリソースは、前記ＵＥの周期的通信のために保証される、請求項１に記載の方法。
【請求項１５】
リソースの前記第１のセットは、リソースの前記第２のセットとは異なる周波数に関連付けられる、請求項１に記載の方法。
【請求項１６】
前記第１のＲＡＴは４Ｇ  ＲＡＴを備え、前記第２のＲＡＴは５Ｇ  ＲＡＴを備える、請求項１に記載の方法。
【請求項１７】
基地局によって実施されるワイヤレス通信の方法であって、
第１の無線アクセス技術（ＲＡＴ）または第２のＲＡＴのうちの特定のＲＡＴに関連付けられた通信のためのスケジューリング情報をユーザ機器（ＵＥ）に送信することと、
ここにおいて、前記特定のＲＡＴが前記第１のＲＡＴであるとき、
前記スケジューリング情報は、リソースの第１のセットのうちの第１の特定のリソースを識別し、前記第１の特定のリソースは、半静的手法および前記第１のＲＡＴのための４ｍｓ＋６ｍｓハイブリッド自動再送要求（ＨＡＲＤ）タイムラインに少なくとも部分的に基づいて選択され、
前記特定のＲＡＴが前記第２のＲＡＴであるとき、
前記スケジューリング情報は、リソースの第２のセットのうちの第２の特定のリソースを識別し、前記第２の特定のリソースは、動的手法を使用して選択され、
リソースの前記第１のセットのうちの１つまたは複数のリソースは、基準第１時分割複信（ＴＤＤ）構成に少なくとも部分的に基づいて前記第１のＲＡＴのために保証され、リソースの前記第１のセットのうちの前記１つまたは複数のリソースと、リソースの前記第２のセットとが時間領域において重複しない、
前記第１の特定のリソースまたは前記第２の特定のリソースを使用して前記通信を受信することと、
を備える、方法。
【請求項１８】
リソースの前記第１のセットは、リソースの前記第１のセットのうちの前記１つまたは複数のリソースと、１つまたは複数の追加のリソースとを含む、請求項１７に記載の方法。
【請求項１９】
前記第１のＲＡＴは周波数分割複信構成に関連付けられ、前記第１の特定のリソースは前記基準第１ＴＤＤ構成に少なくとも部分的に基づく、請求項１７に記載の方法。
【請求項２０】
前記通信は、ダウンリンクＨＡＲＱ通信のためのフィードバックに関連付けられ、前記第１の特定のリソースは前記基準第１ＴＤＤ構成に少なくとも部分的に基づく、請求項１７に記載の方法。
【請求項２１】
任意のサブフレームにおいて前記ダウンリンクＨＡＲＱ通信のダウンリンクデータを送信すること、
をさらに備える、請求項２０に記載の方法。
【請求項２２】
前記第１のＲＡＴはＴＤＤダウンリンク／アップリンク構成に関連付けられ、前記通信は、ダウンリンクＨＡＲＱ通信のためのフィードバックに関連付けられ、前記第１の特定のリソースは前記基準第１ＴＤＤ構成に少なくとも部分的に基づく、請求項１７に記載の方法。
【請求項２３】
前記第１のＲＡＴはＴＤＤダウンリンク／アップリンク構成に関連付けられ、前記通信は、ダウンリンクＨＡＲＱ通信のためのフィードバックに関連付けられ、前記方法は、
前記ＴＤＤダウンリンク／アップリンク構成によって識別されるリソース中で前記ダウンリンクＨＡＲＱ通信のためのダウンリンクデータを送信すること、
をさらに備える、請求項１７に記載の方法。
【請求項２４】
前記第１の特定のリソースはアップリンクＨＡＲＱペイロードのためのものであり、前記第１の特定のリソースは、前記第１のＲＡＴのための周波数分割複信タイムラインに少なくとも部分的に基づいて選択される、請求項１７に記載の方法。
【請求項２５】
前記第１の特定のリソースはアップリンクＨＡＲＱペイロードのためのものであり、前記第１の特定のリソースは、前記第１のＲＡＴのＴＤＤダウンリンク／アップリンク構成に少なくとも部分的に基づいて選択される、請求項１７に記載の方法。
【請求項２６】
リソースの前記第２のセットのうちの１つまたは複数のリソースは、前記ＵＥの基準第２ＴＤＤ構成に少なくとも部分的に基づいて前記第２のＲＡＴのために保証される、請求項１７に記載の方法。
【請求項２７】
前記１つまたは複数のリソースは、時分割多重化（ＴＤＭ）リソースを含む、請求項１７に記載の方法。
【請求項２８】
リソースの前記第１のセットおよびリソースの前記第２のセットは合計で、リソースの前記第１のセットのうちの前記１つまたは複数のリソース、およびリソースの前記第２のセットのうちの前記１つまたは複数のリソース中に合計で含まれるものよりも多くのリソースを含む、請求項２７に記載の方法。
【請求項２９】
前記通信はＨＡＲＱ通信に関連付けられ、
前記第２の特定のリソースは、動的ＨＡＲＱタイムラインに少なくとも部分的に基づいて選択される、
請求項１７に記載の方法。
【請求項３０】
リソースの前記第１のセットのうちの前記１つまたは複数のリソースは、前記ＵＥの周期的通信のために保証される、請求項１７に記載の方法。
【請求項３１】
リソースの前記第１のセットは、リソースの前記第２のセットとは異なる周波数に関連付けられる、請求項１７に記載の方法。
【請求項３２】
前記第１のＲＡＴは４Ｇ  ＲＡＴを備え、前記第２のＲＡＴは５Ｇ  ＲＡＴを備える、請求項１７に記載の方法。
【請求項３３】
第１の無線アクセス技術（ＲＡＴ）と第２のＲＡＴとのためのアップリンク共有のために構成された、ワイヤレス通信のためのユーザ機器（ＵＥ）であって、
メモリと、
前記メモリに動作可能に結合された１つまたは複数のプロセッサと、を備え、前記メモリおよび前記１つまたは複数のプロセッサは、
前記第１のＲＡＴまたは前記第２のＲＡＴのうちの特定のＲＡＴに関連付けられた通信のためのスケジューリング情報を受信することと、
ここにおいて、前記特定のＲＡＴが前記第１のＲＡＴであるとき、
前記スケジューリング情報は、リソースの第１のセットのうちの第１の特定のリソースを識別し、前記第１の特定のリソースは、半静的手法および４ｍｓ＋６ｍｓハイブリッド自動再送要求（ＨＡＲＤ）タイムラインに少なくとも部分的に基づいて選択され、
前記特定のＲＡＴが前記第２のＲＡＴであるとき、
前記スケジューリング情報は、リソースの第２のセットのうちの第２の特定のリソースを識別し、前記第２の特定のリソースは、動的手法を使用して選択され、
リソースの前記第１のセットのうちの１つまたは複数のリソースは、前記ＵＥの基準第１ＴＤＤ構成に少なくとも部分的に基づいて前記第１のＲＡＴのために保証され、リソースの前記第１のセットのうちの前記１つまたは複数のリソースと、リソースの前記第２のセットとは時間領域において重複しない、
前記第１の特定のリソースまたは前記第２の特定のリソースを使用して前記通信を送信することと、
を行うように構成された、ユーザ機器（ＵＥ）。
【請求項３４】
リソースの前記第１のセットは、リソースの前記第１のセットのうちの前記１つまたは複数のリソースと、１つまたは複数の追加のリソースとを含む、請求項３３に記載のＵＥ。
【請求項３５】
前記第１のＲＡＴは周波数分割複信構成に関連付けられ、前記第１の特定のリソースは前記基準第１ＴＤＤ構成に少なくとも部分的に基づく、請求項３３に記載のＵＥ。
【請求項３６】
前記通信は、ダウンリンクＨＡＲＱ通信のためのフィードバックに関連付けられ、前記第１の特定のリソースは前記基準第１ＴＤＤ構成に少なくとも部分的に基づく、請求項３３に記載のＵＥ。
【請求項３７】
前記１つまたは複数のプロセッサは、
任意のサブフレームにおいて前記ダウンリンクＨＡＲＱ通信のダウンリンクデータを受信すること、
を行う、請求項３６に記載のＵＥ。
【請求項３８】
前記第１のＲＡＴはＴＤＤダウンリンク／アップリンク構成に関連付けられ、前記通信は、ダウンリンクＨＡＲＱ通信のためのフィードバックに関連付けられ、前記第１の特定のリソースは前記基準第１ＴＤＤ構成に少なくとも部分的に基づく、請求項３３に記載のＵＥ。
【請求項３９】
前記第１のＲＡＴはＴＤＤダウンリンク／アップリンク構成に関連付けられ、前記通信は、ダウンリンクＨＡＲＱ通信のためのフィードバックに関連付けられ、前記１つまたは複数のプロセッサは、
前記ＴＤＤダウンリンク／アップリンク構成によって識別されるリソース中で前記ダウンリンクＨＡＲＱ通信のためのダウンリンクデータを受信すること、
を行う、請求項３３に記載のＵＥ。
【請求項４０】
前記第１の特定のリソースはアップリンクＨＡＲＱペイロードのためのものであり、前記第１の特定のリソースは、前記第１のＲＡＴのための周波数分割複信タイムラインに少なくとも部分的に基づいて選択される、請求項３３に記載のＵＥ。
【請求項４１】
前記第１の特定のリソースはアップリンクＨＡＲＱペイロードのためのものであり、前記第１の特定のリソースは、前記第１のＲＡＴのＴＤＤダウンリンク／アップリンク構成に少なくとも部分的に基づいて選択される、請求項３３に記載のＵＥ。
【請求項４２】
リソースの前記第２のセットのうちの１つまたは複数のリソースは、前記ＵＥの基準第２ＴＤＤ構成に少なくとも部分的に基づいて前記第２のＲＡＴのために保証される、請求項３３に記載のＵＥ。
【請求項４３】
前記１つまたは複数のリソースは、時分割多重化（ＴＤＭ）リソースを含む、請求項３３に記載のＵＥ。
【請求項４４】
リソースの前記第１のセットおよびリソースの前記第２のセットは合計で、リソースの前記第１のセットのうちの前記１つまたは複数のリソース、およびリソースの前記第２のセットのうちの前記１つまたは複数のリソース中に合計で含まれるものよりも多くのリソースを含む、請求項４２に記載のＵＥ。
【請求項４５】
前記通信はＨＡＲＱ通信に関連付けられ、
前記第２の特定のリソースは、動的ＨＡＲＱタイムラインに少なくとも部分的に基づいて選択される、
請求項３３に記載のＵＥ。
【請求項４６】
リソースの前記第１のセットのうちの前記１つまたは複数のリソースは、前記ＵＥの周期的通信のために保証される、請求項３３に記載のＵＥ。
【請求項４７】
リソースの前記第１のセットは、リソースの前記第２のセットとは異なる周波数に関連付けられる、請求項３３に記載のＵＥ。
【請求項４８】
前記第１のＲＡＴは４Ｇ  ＲＡＴを備え、前記第２のＲＡＴは５Ｇ  ＲＡＴを備える、請求項３３に記載のＵＥ。
【請求項４９】
ワイヤレス通信のための基地局であって、
メモリと、
前記メモリに動作可能に結合された１つまたは複数のプロセッサと、を備え、前記メモリおよび前記１つまたは複数のプロセッサは、
第１の無線アクセス技術（ＲＡＴ）または第２のＲＡＴのうちの特定のＲＡＴに関連付けられた通信のためのスケジューリング情報をユーザ機器（ＵＥ）に送信することと、
ここにおいて、前記特定のＲＡＴが前記第１のＲＡＴであるとき、
前記スケジューリング情報は、前記第１のＲＡＴのためのリソースの第１のセットのうちの第１の特定のリソースを識別し、前記第１の特定のリソースは、半静的手法および４ｍｓ＋６ｍｓハイブリッド自動再送要求（ＨＡＲＤ）タイムラインに少なくとも部分的に基づいて選択され、
前記特定のＲＡＴが前記第２のＲＡＴであるとき、
前記スケジューリング情報は、リソースの第２のセットのうちの第２の特定のリソースを識別し、前記第２の特定のリソースは、動的手法を使用して選択され、
リソースの前記第１のセットのうちの１つまたは複数のリソースは、基準第１時分割複信（ＴＤＤ）構成に少なくとも部分的に基づいて前記第１のＲＡＴのために保証され、リソースの前記第１のセットのうちの前記１つまたは複数のリソースと、リソースの前記第２のセットとは時間領域において重複しない、
前記第１の特定のリソースまたは前記第２の特定のリソースを使用して前記通信を受信することと、
を行うように構成された、基地局。
【請求項５０】
リソースの前記第１のセットは、リソースの前記第１のセットのうちの前記１つまたは複数のリソースと、１つまたは複数の追加のリソースとを含む、請求項４９に記載の基地局。
【請求項５１】
前記第１のＲＡＴは周波数分割複信構成に関連付けられ、前記第１の特定のリソースは前記基準第１ＴＤＤ構成に少なくとも部分的に基づく、請求項４９に記載の基地局。
【請求項５２】
前記通信は、ダウンリンクＨＡＲＱ通信のためのフィードバックに関連付けられ、前記第１の特定のリソースは前記基準第１ＴＤＤ構成に少なくとも部分的に基づく、請求項４９に記載の基地局。
【請求項５３】
前記１つまたは複数のプロセッサは、
任意のサブフレームにおいて前記ダウンリンクＨＡＲＱ通信のダウンリンクデータを送信すること、
を行う、請求項５２に記載の基地局。
【請求項５４】
前記第１のＲＡＴはＴＤＤダウンリンク／アップリンク構成に関連付けられ、前記通信は、ダウンリンクＨＡＲＱ通信のためのフィードバックに関連付けられ、前記第１の特定のリソースは前記基準第１ＴＤＤ構成に少なくとも部分的に基づく、請求項４９に記載の基地局。
【請求項５５】
前記第１のＲＡＴはＴＤＤダウンリンク／アップリンク構成に関連付けられ、前記通信は、ダウンリンクＨＡＲＱ通信のためのフィードバックに関連付けられ、前記１つまたは複数のプロセッサは、
前記ＴＤＤダウンリンク／アップリンク構成によって識別されるリソース中で前記ダウンリンクＨＡＲＱ通信のためのダウンリンクデータを送信すること、
をさらに行う、請求項４９に記載の基地局。
【請求項５６】
前記第１の特定のリソースはアップリンクＨＡＲＱペイロードのためのものであり、前記第１の特定のリソースは、前記第１のＲＡＴのための周波数分割複信タイムラインに少なくとも部分的に基づいて選択される、請求項４９に記載の基地局。
【請求項５７】
前記第１の特定のリソースはアップリンクＨＡＲＱペイロードのためのものであり、前記第１の特定のリソースは、前記第１のＲＡＴのＴＤＤダウンリンク／アップリンク構成に少なくとも部分的に基づいて選択される、請求項４９に記載の基地局。
【請求項５８】
リソースの前記第２のセットのうちの１つまたは複数のリソースは、前記ＵＥの基準第２ＴＤＤ構成に少なくとも部分的に基づいて前記第２のＲＡＴのために保証される、請求項４９に記載の基地局。
【請求項５９】
前記１つまたは複数のリソースは、時分割多重化（ＴＤＭ）リソースを含む、請求項４９に記載の基地局。
【請求項６０】
リソースの前記第１のセットおよびリソースの前記第２のセットは合計で、リソースの前記第１のセットのうちの前記１つまたは複数のリソース、およびリソースの前記第２のセットのうちの前記１つまたは複数のリソース中に合計で含まれるものよりも多くのリソースを含む、請求項５９に記載の基地局。
【請求項６１】
前記通信はＨＡＲＱ通信に関連付けられ、
前記第２の特定のリソースは、動的ＨＡＲＱタイムラインに少なくとも部分的に基づいて選択される、
請求項４９に記載の基地局。
【請求項６２】
リソースの前記第１のセットのうちの前記１つまたは複数のリソースは、前記ＵＥの周期的通信のために保証される、請求項４９に記載の基地局。
【請求項６３】
リソースの前記第１のセットは、リソースの前記第２のセットとは異なる周波数に関連付けられる、請求項４９に記載の基地局。
【請求項６４】
前記第１のＲＡＴは４Ｇ  ＲＡＴを備え、前記第２のＲＡＴは５Ｇ  ＲＡＴを備える、請求項４９に記載の基地局。  
【手続補正２】
【補正対象書類名】明細書
【補正対象項目名】０１２０
【補正方法】変更
【補正の内容】
【０１２０】
[00131]本明細書で使用されるいかなる要素、行為、または命令も、明示的にそのように説明されない限り、重要または必須と解釈されるべきではない。また、本明細書で使用される冠詞「ａ」および「ａｎ」は、１つまたは複数の項目を含むものであり、「１つまたは複数」と互換的に使用され得る。さらに、本明細書で使用される「セット」および「グループ」という用語は、１つまたは複数の項目（たとえば、関係する項目、無関係の項目、関係する項目と無関係の項目の組合せなど）を含むものであり、「１つまたは複数」と互換的に使用され得る。１つの項目のみが意図される場合、「１つ」という用語または同様の言い回しが使用される。また、本明細書で使用される「有する（ｈａｓ）」、「有する（ｈａｖｅ）」、「有する（ｈａｖｉｎｇ）」などの用語は、オープンエンド用語であるものとする。さらに、「に基づく」という句は、別段に明記されていない限り、「に少なくとも部分的に基づく」を意味するものである。
以下に、本願の出願当初の特許請求の範囲に記載された発明を付記する。
［Ｃ１］
第１の無線アクセス技術（ＲＡＴ）と第２のＲＡＴとのためのアップリンク共有のために構成されたユーザ機器（ＵＥ）によって実施されるワイヤレス通信の方法であって、  前記第１のＲＡＴまたは前記第２のＲＡＴのうちの特定のＲＡＴに関連付けられた通信のためのスケジューリング情報を受信することと、ここにおいて、
前記スケジューリング情報は、前記第１のＲＡＴのためのリソースの第１のセット、または前記第２のＲＡＴのためのリソースの第２のセットのうちの１つの特定のリソースを識別し、
リソースの前記第１のセットのうちの１つまたは複数のリソースは、基準第１時分割複信（ＴＤＤ）構成に少なくとも部分的に基づいて前記第１のＲＡＴのために保証され、リソースの前記第１のセットのうちの前記１つまたは複数のリソースと、リソースの前記第２のセットとが時間領域において重複しない、
前記特定のリソースを使用して前記通信を送信することと、
を備える、方法。
［Ｃ２］
リソースの前記第１のセットは、リソースの前記第１のセットのうちの前記１つまたは複数のリソースと、１つまたは複数の追加のリソースとを含む、Ｃ１に記載の方法。
［Ｃ３］
前記第１のＲＡＴは周波数分割複信構成に関連付けられ、前記特定のリソースが前記基準第１ＴＤＤ構成に少なくとも部分的に基づく、Ｃ１に記載の方法。
［Ｃ４］
前記通信は、ダウンリンクハイブリッド自動再送要求（ＨＡＲＱ）通信のためのフィードバックに関連付けられ、前記特定のリソースは前記基準第１ＴＤＤ構成に少なくとも部分的に基づく、Ｃ１に記載の方法。
［Ｃ５］
任意のサブフレームにおいて前記ダウンリンクＨＡＲＱ通信のダウンリンクデータを受信すること、
をさらに備える、Ｃ４に記載の方法。
［Ｃ６］
前記第１のＲＡＴはＴＤＤダウンリンク／アップリンク構成に関連付けられ、前記通信は、ダウンリンクハイブリッド自動再送要求（ＨＡＲＱ）通信のためのフィードバックに関連付けられ、前記特定のリソースは前記基準第１ＴＤＤ構成に少なくとも部分的に基づく、Ｃ１に記載の方法。
［Ｃ７］
前記第１のＲＡＴはＴＤＤダウンリンク／アップリンク構成に関連付けられ、前記通信は、ダウンリンクハイブリッド自動再送要求（ＨＡＲＱ）通信のためのフィードバックに関連付けられ、前記方法は、
前記ＴＤＤダウンリンク／アップリンク構成によって識別されるリソース中で前記ダウンリンクＨＡＲＱ通信のためのダウンリンクデータを受信すること、
をさらに備える、Ｃ１に記載の方法。
［Ｃ８］
前記特定のリソースはアップリンクハイブリッド自動再送要求（ＨＡＲＱ）ペイロードのためのものであり、前記特定のリソースは、前記第１のＲＡＴのための周波数分割複信タイムラインに少なくとも部分的に基づいて選択される、Ｃ１に記載の方法。
［Ｃ９］
前記特定のリソースはアップリンクハイブリッド自動再送要求（ＨＡＲＱ）ペイロードのためのものであり、前記特定のリソースは、前記第１のＲＡＴのＴＤＤダウンリンク／アップリンク構成に少なくとも部分的に基づいて選択される、Ｃ１に記載の方法。
［Ｃ１０］
リソースの前記第２のセットのうちの１つまたは複数のリソースは、前記ＵＥの基準第２ＴＤＤ構成に少なくとも部分的に基づいて前記第２のＲＡＴのために保証される、Ｃ１に記載の方法。
［Ｃ１１］
リソースの前記第１のセットのうちの前記１つまたは複数のリソースと、リソースの前記第２のセットのうちの前記１つまたは複数のリソースとが時間的に重複しない、Ｃ１０に記載の方法。
［Ｃ１２］
リソースの前記第１のセットおよびリソースの前記第２のセットは合計で、リソースの前記第１のセットのうちの前記１つまたは複数のリソース、およびリソースの前記第２のセットのうちの前記１つまたは複数のリソース中に合計で含まれるものよりも多くのリソースを含む、Ｃ１０に記載の方法。
［Ｃ１３］
前記特定のリソースはリソースの前記第２のセットのものであり、前記通信はハイブリッド自動再送要求（ＨＡＲＱ）通信に関連付けられ、
前記特定のリソースは、動的ＨＡＲＱタイムラインに少なくとも部分的に基づいて選択される、
Ｃ１に記載の方法。
［Ｃ１４］
リソースの前記第１のセットのうちの前記１つまたは複数のリソースは、前記ＵＥの周期的通信のために保証される、Ｃ１に記載の方法。
［Ｃ１５］
リソースの前記第１のセットは、リソースの前記第２のセットとは異なる周波数に関連付けられる、Ｃ１に記載の方法。
［Ｃ１６］
前記第１のＲＡＴは４Ｇ  ＲＡＴを備え、前記第２のＲＡＴは５Ｇ  ＲＡＴを備える、Ｃ１に記載の方法。
［Ｃ１７］
基地局によって実施されるワイヤレス通信の方法であって、
第１の無線アクセス技術（ＲＡＴ）または第２のＲＡＴのうちの特定のＲＡＴに関連付けられた通信のためのスケジューリング情報をユーザ機器（ＵＥ）に送信することと、ここにおいて、
前記スケジューリング情報は、前記第１のＲＡＴのためのリソースの第１のセット、または前記第２のＲＡＴのためのリソースの第２のセットのうちの１つの特定のリソースを識別し、
リソースの前記第１のセットのうちの１つまたは複数のリソースは、基準第１時分割複信（ＴＤＤ）構成に少なくとも部分的に基づいて前記第１のＲＡＴのために保証され、リソースの前記第１のセットのうちの前記１つまたは複数のリソースと、リソースの前記第２のセットとが時間領域において重複しない、
前記特定のリソースを使用して前記通信を受信することと、
を備える、方法。
［Ｃ１８］
リソースの前記第１のセットは、リソースの前記第１のセットのうちの前記１つまたは複数のリソースと、１つまたは複数の追加のリソースとを含む、Ｃ１７に記載の方法。
［Ｃ１９］
前記第１のＲＡＴは周波数分割複信構成に関連付けられ、前記特定のリソースは前記基準第１ＴＤＤ構成に少なくとも部分的に基づく、Ｃ１７に記載の方法。
［Ｃ２０］
前記通信は、ダウンリンクハイブリッド自動再送要求（ＨＡＲＱ）通信のためのフィードバックに関連付けられ、前記特定のリソースは前記基準第１ＴＤＤ構成に少なくとも部分的に基づく、Ｃ１７に記載の方法。
［Ｃ２１］
任意のサブフレームにおいて前記ダウンリンクＨＡＲＱ通信のダウンリンクデータを送信すること、
をさらに備える、Ｃ２０に記載の方法。
［Ｃ２２］
前記第１のＲＡＴはＴＤＤダウンリンク／アップリンク構成に関連付けられ、前記通信は、ダウンリンクハイブリッド自動再送要求（ＨＡＲＱ）通信のためのフィードバックに関連付けられ、前記特定のリソースは前記基準第１ＴＤＤ構成に少なくとも部分的に基づく、Ｃ１７に記載の方法。
［Ｃ２３］
前記第１のＲＡＴはＴＤＤダウンリンク／アップリンク構成に関連付けられ、前記通信は、ダウンリンクハイブリッド自動再送要求（ＨＡＲＱ）通信のためのフィードバックに関連付けられ、前記方法は、
前記ＴＤＤダウンリンク／アップリンク構成によって識別されるリソース中で前記ダウンリンクＨＡＲＱ通信のためのダウンリンクデータを送信すること、
をさらに備える、Ｃ１７に記載の方法。
［Ｃ２４］
前記特定のリソースはアップリンクハイブリッド自動再送要求（ＨＡＲＱ）ペイロードのためのものであり、前記特定のリソースは、前記第１のＲＡＴのための周波数分割複信タイムラインに少なくとも部分的に基づいて選択される、Ｃ１７に記載の方法。
［Ｃ２５］
前記特定のリソースはアップリンクハイブリッド自動再送要求（ＨＡＲＱ）ペイロードのためのものであり、前記特定のリソースは、前記第１のＲＡＴのＴＤＤダウンリンク／アップリンク構成に少なくとも部分的に基づいて選択される、Ｃ１７に記載の方法。
［Ｃ２６］
リソースの前記第２のセットのうちの１つまたは複数のリソースは、前記ＵＥの基準第２ＴＤＤ構成に少なくとも部分的に基づいて前記第２のＲＡＴのために保証される、Ｃ１７に記載の方法。
［Ｃ２７］
リソースの前記第１のセットのうちの前記１つまたは複数のリソースと、リソースの前記第２のセットのうちの前記１つまたは複数のリソースとは時間的に重複しない、Ｃ２６に記載の方法。
［Ｃ２８］
リソースの前記第１のセットおよびリソースの前記第２のセットは合計で、リソースの前記第１のセットのうちの前記１つまたは複数のリソース、およびリソースの前記第２のセットのうちの前記１つまたは複数のリソース中に合計で含まれるものよりも多くのリソースを含む、Ｃ２７に記載の方法。
［Ｃ２９］
前記特定のリソースはリソースの前記第２のセットのものであり、前記通信はハイブリッド自動再送要求（ＨＡＲＱ）通信に関連付けられ、
前記特定のリソースは、動的ＨＡＲＱタイムラインに少なくとも部分的に基づいて選択される、
Ｃ１７に記載の方法。
［Ｃ３０］
リソースの前記第１のセットのうちの前記１つまたは複数のリソースは、前記ＵＥの周期的通信のために保証される、Ｃ１７に記載の方法。
［Ｃ３１］
リソースの前記第１のセットは、リソースの前記第２のセットとは異なる周波数に関連付けられる、Ｃ１７に記載の方法。
［Ｃ３２］
前記第１のＲＡＴは４Ｇ  ＲＡＴを備え、前記第２のＲＡＴは５Ｇ  ＲＡＴを備える、Ｃ１７に記載の方法。
［Ｃ３３］
第１の無線アクセス技術（ＲＡＴ）と第２のＲＡＴとのためのアップリンク共有のために構成された、ワイヤレス通信のためのユーザ機器（ＵＥ）であって、
メモリと、
前記メモリに動作可能に結合された１つまたは複数のプロセッサと、を備え、前記メモリおよび前記１つまたは複数のプロセッサは、
前記第１のＲＡＴまたは前記第２のＲＡＴのうちの特定のＲＡＴに関連付けられた通信のためのスケジューリング情報を受信することと、ここにおいて、前記スケジューリング情報は、前記第１のＲＡＴのためのリソースの第１のセット、または前記第２のＲＡＴのためのリソースの第２のセットのうちの１つの特定のリソースを識別し、リソースの前記第１のセットのうちの１つまたは複数のリソースは、前記ＵＥの基準第１ＴＤＤ構成に少なくとも部分的に基づいて前記第１のＲＡＴのために保証され、リソースの前記第１のセットのうちの前記１つまたは複数のリソースと、リソースの前記第２のセットとは時間領域において重複しない、
前記特定のリソースを使用して前記通信を送信することと、
を行うように構成された、ユーザ機器（ＵＥ）。
［Ｃ３４］
リソースの前記第１のセットは、リソースの前記第１のセットのうちの前記１つまたは複数のリソースと、１つまたは複数の追加のリソースとを含む、Ｃ３３に記載のＵＥ。
［Ｃ３５］
前記第１のＲＡＴは周波数分割複信構成に関連付けられ、前記特定のリソースは前記基準第１ＴＤＤ構成に少なくとも部分的に基づく、Ｃ３３に記載のＵＥ。
［Ｃ３６］
前記通信は、ダウンリンクハイブリッド自動再送要求（ＨＡＲＱ）通信のためのフィードバックに関連付けられ、前記特定のリソースは前記基準第１ＴＤＤ構成に少なくとも部分的に基づく、Ｃ３３に記載のＵＥ。
［Ｃ３７］
前記１つまたは複数のプロセッサは、
任意のサブフレームにおいて前記ダウンリンクＨＡＲＱ通信のダウンリンクデータを受信すること、
を行うことになる、Ｃ３６に記載のＵＥ。
［Ｃ３８］
前記第１のＲＡＴはＴＤＤダウンリンク／アップリンク構成に関連付けられ、前記通信は、ダウンリンクハイブリッド自動再送要求（ＨＡＲＱ）通信のためのフィードバックに関連付けられ、前記特定のリソースは前記基準第１ＴＤＤ構成に少なくとも部分的に基づく、Ｃ３３に記載のＵＥ。
［Ｃ３９］
前記第１のＲＡＴはＴＤＤダウンリンク／アップリンク構成に関連付けられ、前記通信は、ダウンリンクハイブリッド自動再送要求（ＨＡＲＱ）通信のためのフィードバックに関連付けられ、前記１つまたは複数のプロセッサは、
前記ＴＤＤダウンリンク／アップリンク構成によって識別されるリソース中で前記ダウンリンクＨＡＲＱ通信のためのダウンリンクデータを受信すること、
を行うことになる、Ｃ３３に記載のＵＥ。
［Ｃ４０］
前記特定のリソースはアップリンクハイブリッド自動再送要求（ＨＡＲＱ）ペイロードのためのものであり、前記特定のリソースは、前記第１のＲＡＴのための周波数分割複信タイムラインに少なくとも部分的に基づいて選択される、Ｃ３３に記載のＵＥ。
［Ｃ４１］
前記特定のリソースはアップリンクハイブリッド自動再送要求（ＨＡＲＱ）ペイロードのためのものであり、前記特定のリソースは、前記第１のＲＡＴのＴＤＤダウンリンク／アップリンク構成に少なくとも部分的に基づいて選択される、Ｃ３３に記載のＵＥ。
［Ｃ４２］
リソースの前記第２のセットのうちの１つまたは複数のリソースは、前記ＵＥの基準第２ＴＤＤ構成に少なくとも部分的に基づいて前記第２のＲＡＴのために保証される、Ｃ３３に記載のＵＥ。
［Ｃ４３］
リソースの前記第１のセットのうちの前記１つまたは複数のリソースと、リソースの前記第２のセットのうちの前記１つまたは複数のリソースとは時間的に重複しない、Ｃ４２に記載のＵＥ。
［Ｃ４４］
リソースの前記第１のセットおよびリソースの前記第２のセットは合計で、リソースの前記第１のセットのうちの前記１つまたは複数のリソース、およびリソースの前記第２のセットのうちの前記１つまたは複数のリソース中に合計で含まれるものよりも多くのリソースを含む、Ｃ４２に記載のＵＥ。
［Ｃ４５］
前記特定のリソースはリソースの前記第２のセットのものであり、前記通信はハイブリッド自動再送要求（ＨＡＲＱ）通信に関連付けられ、
前記特定のリソースは、動的ＨＡＲＱタイムラインに少なくとも部分的に基づいて選択される、
Ｃ３３に記載のＵＥ。
［Ｃ４６］
リソースの前記第１のセットのうちの前記１つまたは複数のリソースは、前記ＵＥの周期的通信のために保証される、Ｃ３３に記載のＵＥ。
［Ｃ４７］
リソースの前記第１のセットは、リソースの前記第２のセットとは異なる周波数に関連付けられる、Ｃ３３に記載のＵＥ。
［Ｃ４８］
前記第１のＲＡＴは４Ｇ  ＲＡＴを備え、前記第２のＲＡＴは５Ｇ  ＲＡＴを備える、Ｃ３３に記載のＵＥ。
［Ｃ４９］
ワイヤレス通信のための基地局であって、
メモリと、
前記メモリに動作可能に結合された１つまたは複数のプロセッサと、を備え、前記メモリおよび前記１つまたは複数のプロセッサは、
第１の無線アクセス技術（ＲＡＴ）または第２のＲＡＴのうちの特定のＲＡＴに関連付けられた通信のためのスケジューリング情報をユーザ機器（ＵＥ）に送信することと、ここにおいて、前記スケジューリング情報は、前記第１のＲＡＴのためのリソースの第１のセット、または前記第２のＲＡＴのためのリソースの第２のセットのうちの１つの特定のリソースを識別し、リソースの前記第１のセットのうちの１つまたは複数のリソースは、基準第１時分割複信（ＴＤＤ）構成に少なくとも部分的に基づいて前記第１のＲＡＴのために保証され、リソースの前記第１のセットのうちの前記１つまたは複数のリソースと、リソースの前記第２のセットとは時間領域において重複しない、
前記特定のリソースを使用して前記通信を受信することと、
を行うように構成された、基地局。
［Ｃ５０］
リソースの前記第１のセットは、リソースの前記第１のセットのうちの前記１つまたは複数のリソースと、１つまたは複数の追加のリソースとを含む、Ｃ４９に記載の基地局。
［Ｃ５１］
前記第１のＲＡＴは周波数分割複信構成に関連付けられ、前記特定のリソースは前記基準第１ＴＤＤ構成に少なくとも部分的に基づく、Ｃ４９に記載の基地局。
［Ｃ５２］
前記通信は、ダウンリンクハイブリッド自動再送要求（ＨＡＲＱ）通信のためのフィードバックに関連付けられ、前記特定のリソースは前記基準第１ＴＤＤ構成に少なくとも部分的に基づく、Ｃ４９に記載の基地局。
［Ｃ５３］
前記１つまたは複数のプロセッサは、
任意のサブフレームにおいて前記ダウンリンクＨＡＲＱ通信のダウンリンクデータを送信すること、
を行うように構成される、Ｃ５２に記載の基地局。
［Ｃ５４］
前記第１のＲＡＴはＴＤＤダウンリンク／アップリンク構成に関連付けられ、前記通信は、ダウンリンクハイブリッド自動再送要求（ＨＡＲＱ）通信のためのフィードバックに関連付けられ、前記特定のリソースは前記基準第１ＴＤＤ構成に少なくとも部分的に基づく、Ｃ４９に記載の基地局。
［Ｃ５５］
前記第１のＲＡＴはＴＤＤダウンリンク／アップリンク構成に関連付けられ、前記通信は、ダウンリンクハイブリッド自動再送要求（ＨＡＲＱ）通信のためのフィードバックに関連付けられ、前記１つまたは複数のプロセッサは、
前記ＴＤＤダウンリンク／アップリンク構成によって識別されるリソース中で前記ダウンリンクＨＡＲＱ通信のためのダウンリンクデータを送信すること、
を行うようにさらに構成される、Ｃ４９に記載の基地局。
［Ｃ５６］
前記特定のリソースはアップリンクハイブリッド自動再送要求（ＨＡＲＱ）ペイロードのためのものであり、前記特定のリソースは、前記第１のＲＡＴのための周波数分割複信タイムラインに少なくとも部分的に基づいて選択される、Ｃ４９に記載の基地局。
［Ｃ５７］
前記特定のリソースはアップリンクハイブリッド自動再送要求（ＨＡＲＱ）ペイロードのためのものであり、前記特定のリソースは、前記第１のＲＡＴのＴＤＤダウンリンク／アップリンク構成に少なくとも部分的に基づいて選択される、Ｃ４９に記載の基地局。
［Ｃ５８］
リソースの前記第２のセットのうちの１つまたは複数のリソースは、前記ＵＥの基準第２ＴＤＤ構成に少なくとも部分的に基づいて前記第２のＲＡＴのために保証される、Ｃ４９に記載の基地局。
［Ｃ５９］
リソースの前記第１のセットのうちの前記１つまたは複数のリソースと、リソースの前記第２のセットのうちの前記１つまたは複数のリソースとは時間的に重複しない、Ｃ５８に記載の基地局。
［Ｃ６０］
リソースの前記第１のセットおよびリソースの前記第２のセットは合計で、リソースの前記第１のセットのうちの前記１つまたは複数のリソース、およびリソースの前記第２のセットのうちの前記１つまたは複数のリソース中に合計で含まれるものよりも多くのリソースを含む、Ｃ５９に記載の基地局。
［Ｃ６１］
前記特定のリソースはリソースの前記第２のセットのものであり、前記通信はハイブリッド自動再送要求（ＨＡＲＱ）通信に関連付けられ、
前記特定のリソースは、動的ＨＡＲＱタイムラインに少なくとも部分的に基づいて選択される、
Ｃ４９に記載の基地局。
［Ｃ６２］
リソースの前記第１のセットのうちの前記１つまたは複数のリソースは、前記ＵＥの周期的通信のために保証される、Ｃ４９に記載の基地局。
［Ｃ６３］
リソースの前記第１のセットは、リソースの前記第２のセットとは異なる周波数に関連付けられる、Ｃ４９に記載の基地局。
［Ｃ６４］
前記第１のＲＡＴは４Ｇ  ＲＡＴを備え、前記第２のＲＡＴは５Ｇ  ＲＡＴを備える、Ｃ４９に記載の基地局。